(57)【要約】  本発明は、通信方法、通信装置、及び基地局を提供する。この方法によれば、基地局は、ユーザ装置（UE）が他のネットワークでページング情報を監視する開始時間を取得し、ここで、開始時間の前にUEが位置するネットワークのネットワーク種別は、他のネットワークのネットワーク種別と異なり、次に、基地局は、開始時間を起点として使用する第１の持続時間内にUEに対してデータをスケジューリングするのを停止する。これによって、基地局とUEとの間の再送信が低減され、基地局により提供されるネットワークでの下りリンクリソースの浪費が更に低減される。
2016528853.tif 000002
【特許請求の範囲】
【請求項１】
基地局により、ユーザ装置（UE）が他のネットワークでページング情報を監視する開始時間を取得するステップであり、前記開始時間の前に前記UEが位置するネットワークのネットワーク種別は、前記他のネットワークのネットワーク種別と異なるステップと、
前記基地局により、前記開始時間を起点として使用する第１の持続時間内に前記UEに対してデータをスケジューリングするのを停止するステップと
を有する通信方法。
【請求項２】
基地局により、ユーザ装置（UE）が他のネットワークでページング情報を監視する開始時間を取得するステップは、
前記基地局により、前記UEのフレームオフセットを取得するステップと、
前記基地局により、前記フレームオフセットに従って、前記UEが前記他のネットワークで前記ページング情報を監視する前記開始時間を取得するステップと
を有する、請求項１に記載の方法。
【請求項３】
基地局により、ユーザ装置（UE）が他のネットワークでページング情報を監視する開始時間を取得するステップは、以下の方式、すなわち、
第１の予め設定された持続時間内に、前記基地局が前記UEにより送信されたチャネル状態情報（CSI）又はサウンディングリファレンス信号（SRS）を受信していない場合、前記第１の予め設定された持続時間の終了時間が、前記UEが前記他のネットワークで前記ページング情報を監視する前記開始時間であると決定するステップ、又は、
第２の予め設定された持続時間内に、前記基地局が物理上りリンク共有情報リソース（PUSCH）において前記UEにより送信されたデータを受信していない場合、前記第２の予め設定された持続時間の終了時間が、前記UEが前記他のネットワークで前記ページング情報を監視する前記開始時間であると決定するステップ、又は、
第１の予め設定された回数内に、前記基地局が物理上りリンク共有情報リソース（PUSCH）において前記UEにより送信されたデータを受信していない場合、前記第１の予め設定された回数の最後の回数の時間が、前記UEが前記他のネットワークで前記ページング情報を監視する前記開始時間であると決定するステップ、又は、
第３の予め設定された持続時間内に、前記基地局が前記UEにより送信されたACK又はNACKを受信していない場合、前記第３の予め設定された持続時間の終了時間が、前記UEが前記他のネットワークで前記ページング情報を監視する前記開始時間であると決定するステップ、又は、
第２の予め設定された回数内に、前記基地局が前記UEにより送信されたACK又はNACKを受信していない場合、前記第２の予め設定された回数の最後の回数の時間が、前記UEが前記他のネットワークで前記ページング情報を監視する前記開始時間であると決定するステップ
のうち少なくとも１つを有する、請求項１に記載の方法。
【請求項４】
前記基地局により、前記UEのフレームオフセットを取得するステップは、
前記基地局により、モビリティ・マネジメント・エンティティ（MME）により送信されたイニシャル・コンテキスト・アップデート要求メッセージを受信するステップであり、前記イニシャル・コンテキスト・アップデート要求メッセージは、前記フレームオフセットを保持するステップ
を有する、請求項２に記載の方法。
【請求項５】
前記基地局により、前記UEのフレームオフセットを取得するステップは、
前記基地局により、フレームオフセット要求メッセージをモビリティ・マネジメント・エンティティ（MME）に送信するステップであり、前記フレームオフセット要求メッセージは、前記UEの前記フレームオフセットを要求するために使用されるステップと、
前記基地局により、前記MMEにより送信されたフレームオフセット応答メッセージを受信するステップであり、前記フレームオフセット応答メッセージは、前記フレームオフセットを保持するステップと
を有する、請求項２に記載の方法。
【請求項６】
前記基地局により、前記UEのフレームオフセットを取得するステップは、
前記基地局により、前記UEの前記フレームオフセットを要求する情報をCDMA-LTEインターワーキング機能エンティティ（IWS）に送信するステップと、
前記基地局により、前記IWSにより送信されたフレームオフセットを受信するステップと
を有する、請求項２に記載の方法。
【請求項７】
前記基地局により、前記UEのフレームオフセットを取得するステップは、
前記基地局により、前記UEにより送信された無線リソース制御プロトコル（RRC）コネクション・アップデート・メッセージを受信するステップであり、前記RRCコネクション・アップデート・メッセージは、前記UEのフレームオフセットパラメータを保持するステップ、又は、
前記基地局により、前記UEにより送信されたページングフレームオフセット応答メッセージを受信するステップであり、前記ページングフレームオフセット応答メッセージは、前記基地局がページングオフセット要求メッセージを前記UEに送信した後に前記基地局により受信され、前記ページングフレームオフセット応答メッセージは、前記UEの前記フレームオフセットを保持するステップ
を有する、請求項２に記載の方法。
【請求項８】
前記基地局により、前記UEに対してデータをスケジューリングするのを停止するステップは、
前記基地局により、サービスゲートウェイ（SGW）がUEに送信するデータをキャッシュするステップと、
前記基地局により、前記UEに対する上りリンクタイミングアドバンス測定を停止し、TA調整を前記UEに送信するのをスキップするステップと、
前記基地局により、ACK/NACKフィードバックを前記UEに送信するのを停止するステップと、
前記基地局により、前記UEにより送信されたACK/NACKを受信するのを停止するステップと
を有する、請求項１ないし７のうちいずれか１項に記載の方法。
【請求項９】
前記基地局により、前記UEに対してデータをスケジューリングするのを停止するステップは、
前記基地局により、前記UEに対して上りリンクチャネル状態情報（CSI）検出、サウンディングリファレンス信号（SRS）検出、及びチャネル推定又は測定フィルタ処理を停止するステップと、
前記基地局により、スケジューリング要求（SR）検出を停止するステップと
を更に有する、請求項８に記載の方法。
【請求項１０】
前記基地局により、前記UEに対してデータをスケジューリングするのを停止した後に、
前記基地局が前記UEにより送信されたACK又はNACKを受信している場合、前記基地局により、前記UEが前記基地局により提供されるネットワークに戻ったと決定するステップ、又は、
前記基地局が前記UEにより送信されたデータを受信している場合、前記基地局により、前記UEが前記基地局により提供されるネットワークに戻ったと決定するステップであり、前記データは、SR、CSI又はSRSのうち少なくとも１つを有するステップ
を更に有する、請求項１ないし９のうちいずれか１項に記載の方法。
【請求項１１】
前記基地局により、前記UEが前記基地局により提供されるネットワークに戻ったと決定した後に、
前記基地局により、前記開始時間及びページング周期に従って、前記UEが次回に前記他のネットワークで前記ページング情報を監視する時間を決定するステップ
を更に有する、請求項１０に記載の方法。
【請求項１２】
前記基地局により、前記UEが前記基地局により提供されるネットワークに戻ったと決定した後に、
前記基地局により、前記UEが前記基地局により提供される前記ネットワークに戻った時間が復帰時間であると決定するステップと、
前記基地局により、前記復帰時間及びページング周期に従って、前記UEが次回に前記他のネットワークにより提供される前記ページング情報を監視する時間を決定するステップと
を更に有する、請求項１０に記載の方法。
【請求項１３】
ユーザ装置（UE）が他のネットワークでページング情報を監視する開始時間を取得するように構成された取得モジュールであり、前記開始時間の前に前記UEが位置するネットワークのネットワーク種別は、前記他のネットワークのネットワーク種別と異なる取得モジュールと、
前記開始時間を起点として使用する第１の持続時間内に前記UEに対してデータをスケジューリングするのを停止するように構成された処理モジュールと
を有する通信装置。
【請求項１４】
前記取得モジュールは、前記UEのフレームオフセットを取得するように具体的に構成され、
前記処理モジュールは、前記フレームオフセットに従って、前記UEが前記他のネットワークで前記ページング情報を監視する前記開始時間を獲得するように更に構成される、請求項１３に記載の装置。
【請求項１５】
前記取得モジュールは、
第１の予め設定された持続時間内に、前記基地局が前記UEにより送信されたチャネル状態情報（CSI）又はサウンディングリファレンス信号（SRS）を受信していない場合、前記第１の予め設定された持続時間の終了時間が、前記UEが前記他のネットワークで前記ページング情報を監視する前記開始時間であると決定するように具体的に構成され、或いは、
第２の予め設定された持続時間内に、前記基地局が物理上りリンク共有情報リソース（PUSCH）において前記UEにより送信されたデータを受信していない場合、前記第２の予め設定された持続時間の終了時間が、前記UEが前記他のネットワークで前記ページング情報を監視する前記開始時間であると決定するように具体的に構成され、或いは、
第１の予め設定された回数内に、前記基地局が物理上りリンク共有情報リソース（PUSCH）において前記UEにより送信されたデータを受信していない場合、前記第１の予め設定された回数の最後の回数の時間が、前記UEが前記他のネットワークで前記ページング情報を監視する前記開始時間であると決定するように具体的に構成され、或いは、
第３の予め設定された持続時間内に、前記基地局が前記UEにより送信されたACK又はNACKを受信していない場合、前記第３の予め設定された持続時間の終了時間が、前記UEが前記他のネットワークで前記ページング情報を監視する前記開始時間であると決定するように具体的に構成され、或いは、
第２の予め設定された回数内に、前記基地局が前記UEにより送信されたACK又はNACKを受信していない場合、前記第２の予め設定された回数の最後の回数の時間が、前記UEが前記他のネットワークで前記ページング情報を監視する前記開始時間であると決定するように具体的に構成される、請求項１３に記載の装置。
【請求項１６】
前記取得モジュールは、モビリティ・マネジメント・エンティティ（MME）により送信されたイニシャル・コンテキスト・アップデート要求メッセージを受信するように具体的に構成され、前記イニシャル・コンテキスト・アップデート要求メッセージは、前記フレームオフセットを保持する、請求項１４に記載の装置。
【請求項１７】
送信モジュールを更に有し、
前記送信モジュールは、フレームオフセット要求メッセージをモビリティ・マネジメント・エンティティ（MME）に送信するように構成され、前記フレームオフセット要求メッセージは、前記UEの前記フレームオフセットを要求するように構成され、
前記取得モジュールは、前記MMEにより送信されたフレームオフセット応答メッセージを受信するように具体的に構成され、前記フレームオフセット肯定応答メッセージは、前記フレームオフセットを保持する、請求項１４に記載の装置。
【請求項１８】
送信モジュールを更に有し、
前記送信モジュールは、前記UEの前記フレームオフセットを要求する情報をCDMA-LTEインターワーキング機能エンティティ（IWS）に送信するように構成され、
前記取得モジュールは、前記IWSにより送信された前記フレームオフセットを受信するように具体的に構成される、請求項１４に記載の装置。
【請求項１９】
前記取得モジュールは、前記UEにより送信された無線リソース制御プロトコル（RRC）コネクション・アップデート・メッセージを受信するように具体的に構成され、前記RRCコネクション・アップデート・メッセージは、前記UEのフレームオフセットパラメータを保持し、或いは、前記UEにより送信されたページングフレームオフセット応答メッセージを受信するように具体的に構成され、前記ページングフレームオフセット応答メッセージは、前記基地局がページングオフセット要求メッセージを前記UEに送信した後に前記基地局により受信され、前記ページングフレームオフセット肯定応答メッセージは、前記UEの前記フレームオフセットを保持する、請求項１４に記載の装置。
【請求項２０】
前記処理モジュールは、サービスゲートウェイ（SGW）が前記UEに送信するデータをキャッシュするように具体的に構成され、或いは、前記UEに対する上りリンクタイミングアドバンス測定を停止し、TA調整を前記UEに送信するのをスキップするように具体的に構成され、或いは、ACK/NACKフィードバックを前記UEに送信するのを停止するように具体的に構成され、或いは、前記UEにより送信されたACK/NACKを受信するのを停止するように具体的に構成される、請求項１３ないし１９のうちいずれか１項に記載の装置。
【請求項２１】
前記処理モジュールは、前記UEに対して上りリンクチャネル状態情報（CSI）検出、サウンディングリファレンス信号（SRS）検出、又はチャネル推定若しくは測定フィルタ処理を停止するように更に構成され、或いは、前記基地局によるスケジューリング要求（SR）検出を停止するように更に構成される、請求項２０に記載の装置。
【請求項２２】
前記処理モジュールは、前記UEにより送信されたACK又はNACKを受信するように更に構成され、この場合、前記基地局は、前記UEが前記基地局により提供されるネットワークに戻ったと決定し、或いは、前記UEにより送信されたデータを受信するように更に構成され、この場合、前記基地局は、前記UEが前記基地局により提供されるネットワークに戻ったと決定し、前記データは、SR、CSI又はSRSのうち少なくとも１つを有する、請求項１３ないし２１のうちいずれか１項に記載の装置。
【請求項２３】
前記処理モジュールは、前記開始時間及びページング周期に従って、前記UEが次回に前記他のネットワークで前記ページング情報を監視する時間を決定するように更に構成される、請求項２２に記載の装置。
【請求項２４】
前記処理モジュールは、前記UEが前記基地局により提供される前記ネットワークに戻った時間が復帰時間であると決定し、前記復帰時間及びページング周期に従って、前記UEが次回に前記他のネットワークにより提供される前記ページング情報を監視する時間を決定するように更に構成される、請求項２２に記載の装置。
【請求項２５】
送信機と、
受信機と、
メモリと、
前記送信機、前記受信機及び前記メモリにそれぞれ接続されたプロセッサと
を有する基地局であって、
前記メモリは、プログラムコードのグループを記憶し、
前記プロセッサは、請求項１ないし１２のうちいずれか１項に記載の方法を実行するために、前記メモリに記憶された前記プログラムコードを呼び出すように構成される基地局。
【請求項２６】
請求項１３ないし２４のうちいずれか１項に記載の装置を有する基地局。
【発明の詳細な説明】
【技術分野】
【０００１】
本発明の実施例は、通信技術に関し、特に通信方法、通信装置、及び基地局に関する。
【背景技術】
【０００２】
現在の通信プロセスでは、オペレータは、一般的に、データサービス及び音声サービスを提供するために、CDMA及びLTEのハイブリッド型ネットワーキングを選択する。例えば、LTEネットワークは、高速データサービスを提供するために選択され、CDMAネットワークは、音声サービスを提供するために選択される。
【０００３】
従来技術では、シングルラジオ（Single  Radio）技術に基づく多方式端末、すなわち、同時に１つのネットワークとデータ受信及び送信を実行可能な端末は、LTEネットワークとRRCコネクションを確立し、すなわち、RRCアクティベート状態でデータを受信又は送信し、多方式端末は、ページングメッセージを受信するために周期的にCDMAネットワークに切り替えられ得る。LTEネットワークがアイドル状態にある場合、多方式端末は、ページングを監視するために、固定のLTEページング周期でLTEページングメッセージを監視するだけでなく、固定のCDMA  1xページング周期で受信機をCDMA  1xネットワークに切り替える。
【０００４】
しかし、従来技術では、UEがLTEネットワークでRRCアクティベート状態にある場合、UEがCDMAネットワークでページングメッセージを監視するためにLTEネットワークを離れる期間に、LTE  eNBは、データを送信するためにUEのためのLTE下りリンクリソースを更にスケジューリングする可能性がある。しかし、UEは、この時点でLTEネットワークを既に離れているため、eNBは、データをUEに送出した後にUEから応答を受信することができない。従って、基地局は、データをUEに絶えず再送信する可能性があり、これによって、LTE下りリンクリソースの浪費を生じる。
【発明の概要】
【０００５】
本発明の実施例は、基地局のUEが他のネットワークでページング情報を監視するために現在のネットワークを離れた場合、基地局がデータをUEに絶えず再送信する可能性があるという問題に対処することを目的とした、通信方法、通信装置及び基地局を提供する。
【０００６】
第１の態様によれば、通信方法が提供され、基地局により、ユーザ装置（UE）が他のネットワークでページング情報を監視する開始時間を取得するステップであり、開始時間の前にUEが位置するネットワークのネットワーク種別は、他のネットワークのネットワーク種別と異なるステップと、基地局により、開始時間を起点として使用する第１の持続時間内にUEに対してデータをスケジューリングするのを停止するステップとを含む。
【０００７】
第１の態様の第１の可能な実現方式では、基地局により、ユーザ装置（UE）が他のネットワークでページング情報を監視する開始時間を取得するステップは、基地局により、UEのフレームオフセットを取得するステップと、基地局により、フレームオフセットに従って、UEが他のネットワークでページング情報を監視する開始時間を取得するステップとを含む。
【０００８】
第１の態様を参照して、第１の態様の第２の可能な実現方式では、基地局により、ユーザ装置（UE）が他のネットワークでページング情報を監視する開始時間を取得するステップは、以下の方式、すなわち、第１の予め設定された持続時間内に、基地局がUEにより送信されたチャネル状態情報（CSI）又はサウンディングリファレンス信号（SRS）を受信していない場合、第１の予め設定された持続時間の終了時間が、UEが他のネットワークでページング情報を監視する開始時間であると決定するステップ、又は、第２の予め設定された持続時間内に、基地局が物理上りリンク共有情報リソース（PUSCH）においてUEにより送信されたデータを受信していない場合、第２の予め設定された持続時間の終了時間が、UEが他のネットワークでページング情報を監視する開始時間であると決定するステップ、又は、第１の予め設定された回数内に、基地局が物理上りリンク共有情報リソース（PUSCH）においてUEにより送信されたデータを受信していない場合、第１の予め設定された回数の最後の回数の時間が、UEが他のネットワークでページング情報を監視する開始時間であると決定するステップ、又は、第３の予め設定された持続時間内に、基地局がUEにより送信されたACK又はNACKを受信していない場合、第３の予め設定された持続時間の終了時間が、UEが他のネットワークでページング情報を監視する開始時間であると決定するステップ、又は、第２の予め設定された回数内に、基地局がUEにより送信されたACK又はNACKを受信していない場合、第２の予め設定された回数の最後の回数の時間が、UEが他のネットワークでページング情報を監視する開始時間であると決定するステップ、のうち少なくとも１つを含む。
【０００９】
第１の態様の第１の可能な実現方式を参照して、第１の態様の第３の可能な実現方式では、基地局により、UEのフレームオフセットを取得するステップは、基地局により、モビリティ・マネジメント・エンティティ（MME）により送信されたイニシャル・コンテキスト・アップデート要求メッセージを受信するステップであり、イニシャル・コンテキスト・アップデート要求メッセージは、フレームオフセットを保持するステップを含む。
【００１０】
第１の態様の第１の可能な実現方式を参照して、第１の態様の第４の可能な実現方式では、基地局により、UEのフレームオフセットを取得するステップは、基地局により、フレームオフセット要求メッセージをモビリティ・マネジメント・エンティティ（MME）に送信するステップであり、フレームオフセット要求メッセージは、UEのフレームオフセットを要求するために使用されるステップと、基地局により、MMEにより送信されたフレームオフセット応答メッセージを受信するステップであり、フレームオフセット応答メッセージは、フレームオフセットを保持するステップとを含む。
【００１１】
第１の態様の第１の可能な実現方式を参照して、第１の態様の第５の可能な実現方式では、基地局により、UEのフレームオフセットを取得するステップは、基地局により、UEのフレームオフセットを要求する情報をCDMA-LTEインターワーキング機能エンティティ（IWS）に送信するステップと、基地局により、IWSにより送信されたフレームオフセットを受信するステップとを含む。
【００１２】
第１の態様の第１の可能な実現方式を参照して、第１の態様の第６の可能な実現方式では、基地局により、UEのフレームオフセットを取得するステップは、基地局により、UEにより送信された無線リソース制御プロトコル（RRC）コネクション・アップデート・メッセージを受信するステップであり、RRCコネクション・アップデート・メッセージは、UEのフレームオフセットパラメータを保持するステップ、又は、基地局により、UEにより送信されたページングフレームオフセット応答メッセージを受信するステップであり、ページングフレームオフセット応答メッセージは、基地局がページングオフセット要求メッセージをUEに送信した後に基地局により受信され、ページングフレームオフセット応答メッセージは、UEのフレームオフセットを保持するステップを含む。
【００１３】
第１の態様又は第１の態様の第１〜第６の可能な実現方式のうちいずれか１つを参照して、第１の態様の第７の可能な実現方式では、基地局により、UEに対してデータをスケジューリングするのを停止するステップは、基地局により、サービスゲートウェイ（SGW）がUEに送信するデータをキャッシュするステップと、基地局により、UEに対する上りリンクタイミングアドバンス測定を停止し、TA調整をUEに送信するのをスキップするステップと、基地局により、ACK/NACKフィードバックをUEに送信するのを停止するステップと、基地局により、UEにより送信されたACK/NACKを受信するのを停止するステップとを含む。
【００１４】
第１の態様の第７の可能な実現方式を参照して、第１の態様の第８の可能な実現方式では、基地局により、UEに対してデータをスケジューリングするのを停止するステップは、基地局により、UEに対して上りリンクチャネル状態情報（CSI）検出、サウンディングリファレンス信号（SRS）検出、及びチャネル推定又は測定フィルタ処理を停止するステップと、基地局により、スケジューリング要求（SR）検出を停止するステップとを更に含む。
【００１５】
第１の態様又は第１の態様の第１〜第８の可能な実現方式のうちいずれか１つを参照して、第１の態様の第９の可能な実現方式では、基地局により、UEに対してデータをスケジューリングするのを停止した後に、この方法は、基地局がUEにより送信されたACK又はNACKを受信している場合、基地局により、UEが基地局により提供されるネットワークに戻ったと決定するステップ、又は、基地局がUEにより送信されたデータを受信している場合、基地局により、UEが基地局により提供されるネットワークに戻ったと決定するステップであり、データは、SR、CSI又はSRSのうち少なくとも１つを含むステップを更に含む。
【００１６】
第１の態様の第９の可能な実現方式を参照して、第１の態様の第１０の可能な実現方式では、基地局により、UEが基地局により提供されるネットワークに戻ったと決定した後に、この方法は、基地局により、開始時間及びページング周期に従って、UEが次回に他のネットワークでページング情報を監視する時間を決定するステップを更に含む。
【００１７】
第１の態様の第９の可能な実現方式を参照して、第１の態様の第１１の可能な実現方式では、基地局により、UEが基地局により提供されるネットワークに戻ったと決定した後に、この方法は、基地局により、UEが基地局により提供されるネットワークに戻った時間が復帰時間であると決定するステップと、基地局により、復帰時間及びページング周期に従って、UEが次回に他のネットワークにより提供されるページング情報を監視する時間を決定するステップとを更に含む。
【００１８】
第２の態様によれば、通信装置が提供され、ユーザ装置（UE）が他のネットワークでページング情報を監視する開始時間を獲得するように構成された取得モジュールであり、開始時間の前にUEが位置するネットワークのネットワーク種別は、他のネットワークのネットワーク種別と異なる取得モジュールと、開始時間を起点として使用する第１の持続時間内にUEに対してデータをスケジューリングするのを停止するように構成された処理モジュールとを含む。
【００１９】
第２の態様の第１の可能な実現方式では、取得モジュールは、UEのフレームオフセットを取得するように具体的に構成され、処理モジュールは、フレームオフセットに従って、UEが他のネットワークでページング情報を監視する開始時間を取得するように更に構成される。
【００２０】
第２の態様を参照して、第２の態様の第２の可能な実現方式では、取得モジュールは、第１の予め設定された持続時間内に、基地局がUEにより送信されたチャネル状態情報（CSI）又はサウンディングリファレンス信号（SRS）を受信していない場合、第１の予め設定された持続時間の終了時間が、UEが他のネットワークでページング情報を監視する開始時間であると決定するように具体的に構成され、或いは、第２の予め設定された持続時間内に、基地局が物理上りリンク共有情報リソース（PUSCH）においてUEにより送信されたデータを受信していない場合、第２の予め設定された持続時間の終了時間が、UEが他のネットワークでページング情報を監視する開始時間であると決定するように具体的に構成され、或いは、第１の予め設定された回数内に、基地局が物理上りリンク共有情報リソース（PUSCH）においてUEにより送信されたデータを受信していない場合、第１の予め設定された回数の最後の回数の時間が、UEが他のネットワークでページング情報を監視する開始時間であると決定するように具体的に構成され、或いは、第３の予め設定された持続時間内に、基地局がUEにより送信されたACK又はNACKを受信していない場合、第３の予め設定された持続時間の終了時間が、UEが他のネットワークでページング情報を監視する開始時間であると決定するように具体的に構成され、或いは、第２の予め設定された回数内に、基地局がUEにより送信されたACK又はNACKを受信していない場合、第２の予め設定された回数の最後の回数の時間が、UEが他のネットワークでページング情報を監視する開始時間であると決定するように具体的に構成される。
【００２１】
第２の態様の第１の可能な実現方式を参照して、第２の態様の第３の可能な実現方式では、取得モジュールは、モビリティ・マネジメント・エンティティ（MME）により送信されたイニシャル・コンテキスト・アップデート要求メッセージを受信するように具体的に構成され、イニシャル・コンテキスト・アップデート要求メッセージは、フレームオフセットを保持する。
【００２２】
第２の態様の第１の可能な実現方式を参照して、第２の態様の第４の可能な実現方式では、この装置は、送信モジュールを更に含み、送信モジュールは、フレームオフセット要求メッセージをモビリティ・マネジメント・エンティティ（MME）に送信するように構成され、フレームオフセット要求メッセージは、UEのフレームオフセットを要求するように構成され、取得モジュールは、MMEにより送信されたフレームオフセット応答メッセージを受信するように具体的に構成され、フレームオフセット肯定応答メッセージは、フレームオフセットを保持する。
【００２３】
第２の態様の第１の可能な実現方式を参照して、第２の態様の第５の可能な実現方式では、この装置は、送信モジュールを更に含み、送信モジュールは、UEのフレームオフセットを要求する情報をCDMA-LTEインターワーキング機能エンティティ（IWS）に送信するように構成され、取得モジュールは、IWSにより送信されたフレームオフセットを受信するように具体的に構成される。
【００２４】
第２の態様の第１の可能な実現方式を参照して、第２の態様の第６の可能な実現方式では、取得モジュールは、UEにより送信された無線リソース制御プロトコル（RRC）コネクション・アップデート・メッセージを受信するように具体的に構成され、RRCコネクション・アップデート・メッセージは、UEのフレームオフセットパラメータを保持し、或いは、UEにより送信されたページングフレームオフセット応答メッセージを受信するように具体的に構成され、ページングフレームオフセット応答メッセージは、基地局がページングオフセット要求メッセージをUEに送信した後に基地局により受信され、ページングフレームオフセット肯定応答メッセージは、UEのフレームオフセットを保持する。
【００２５】
第２の態様又は第２の態様の第１〜第６の可能な実現方式のうちいずれか１つを参照して、第２の態様の第７の可能な実現方式では、処理モジュールは、サービスゲートウェイ（SGW）がUEに送信するデータをキャッシュするように具体的に構成され、或いは、UEに対する上りリンクタイミングアドバンス測定を停止し、TA調整をUEに送信するのをスキップするように具体的に構成され、或いは、ACK/NACKフィードバックをUEに送信するのを停止するように具体的に構成され、或いは、UEにより送信されたACK/NACKを受信するのを停止するように具体的に構成される。
【００２６】
第２の態様の第７の可能な実現方式を参照して、第２の態様の第８の可能な実現方式では、処理モジュールは、UEに対して上りリンクチャネル状態情報（CSI）検出、サウンディングリファレンス信号（SRS）検出、又はチャネル推定若しくは測定フィルタ処理を停止するように更に構成され、或いは、基地局によるスケジューリング要求（SR）検出を停止するように更に構成される。
【００２７】
第２の態様又は第２の態様の第１〜第８の可能な実現方式のうちいずれか１つを参照して、第２の態様の第９の可能な実現方式では、処理モジュールは、UEにより送信されたACK又はNACKを受信するように更に構成され、この場合、基地局は、UEが基地局により提供されるネットワークに戻ったと決定し、或いは、UEにより送信されたデータを受信するように更に構成され、この場合、基地局は、UEが基地局により提供されるネットワークに戻ったと決定し、データは、SR、CSI又はSRSのうち少なくとも１つを含む。
【００２８】
第２の態様の第９の可能な実現方式を参照して、第２の態様の第１０の可能な実現方式では、処理モジュールは、開始時間及びページング周期に従って、UEが次回に他のネットワークでページング情報を監視する時間を決定するように更に構成される。
【００２９】
第２の態様の第９の可能な実現方式を参照して、第２の態様の第１１の可能な実現方式では、処理モジュールは、UEが基地局により提供されるネットワークに戻った時間が復帰時間であると決定し、復帰時間及びページング周期に従って、UEが次回に他のネットワークにより提供されるページング情報を監視する時間を決定するように更に構成される。
【００３０】
第３の態様によれば、基地局が提供され、送信機と、受信機と、メモリと、送信機、受信機及びメモリにそれぞれ接続されたプロセッサとを含み、メモリは、プログラムコードのグループを記憶し、プロセッサは、第１の態様又は第１の態様の第１〜第１１の可能な実現方式のうちいずれか１つによる方法を実行するために、メモリに記憶されたプログラムコードを呼び出すように構成される。
【００３１】
第４の態様によれば、基地局が提供され、第２の態様又は第２の態様の第１〜第１１の可能な実現方式のうちいずれか１つによる装置を含む。
【００３２】
通信方法、通信装置及び基地局が本発明の実施例で提供される。この方法では、基地局は、ユーザ装置（UE）が他のネットワークでページング情報を監視する開始時間を取得し、ここで、開始時間の前にUEが位置するネットワークのネットワーク種別は、他のネットワークのネットワーク種別と異なり、次に、基地局は、開始時間を起点として使用する第１の持続時間内にUEに対してデータをスケジューリングするのを停止する。これによって、基地局とUEとの間の再送信が低減され、基地局により提供されるネットワークでの下りリンクリソースの浪費が更に低減される。
【図面の簡単な説明】
【００３３】
本発明の実施例又は従来技術の技術的対策を更に明確に説明するために、以下に、実施例又は従来技術を説明するために必要な添付図面について簡単に紹介する。明らかに、以下の説明において、添付図面は、本発明のいくつかの実施例を示しており、当業者は、創造的取り組みを行うことなく、依然としてこれらの添付図面から他の図面を導き得る。
【００３４】
【図１】本発明による通信方法の実施例のフローチャート
【図２】本発明による通信方法の他の実施例のフローチャート
【図３】本発明による通信方法の更に他の実施例のフローチャート
【図４】本発明による通信装置の実施例の概略構成図
【図５】本発明による通信装置の他の実施例の概略構成図
【図６】本発明による基地局の実施例の概略構成図
【発明を実施するための形態】
【００３５】
本発明の実施例の目的、技術的対策及び利点を明確にするために、以下に、本発明の実施例の添付図面を参照して、本発明の実施例の技術的対策を明確且つ完全に説明する。明らかに、説明する実施例は、本発明の実施例の全てではなく、一部である。創造的取り組みを行うことなく本発明の実施例に基づいて当業者により得られる全ての他の実施例は、本発明の保護範囲内に入るものとする。
【００３６】
本発明の実施例で提供される通信方法及び通信装置は、通信システムにおいてユーザ装置（UE）が第１のネットワークと無線リソース制御（Radio  Resource  Control、以下ではRRCと呼ばれる）プロトコルのコネクションを確立しており、RRCアクティベート状態にある場合、すなわち、UEが第１のネットワークとデータ伝送を実行する場合、UEが第２のネットワークでページング情報を監視するために第１のネットワークを離れたとき、UEに対するデータスケジューリング処理が停止されるという処理に具体的に適用されてもよい。第１のネットワーク及び第２のネットワークは種別で異なる。例えば、第１のネットワークは、LTEネットワークであり、第２のネットワークは、CDMAネットワークである。本発明の実施例で提供される通信方法は、通信装置により具体的に実行されてもよく、通信装置は、基地局に統合されてもよく、ソフトウェア及び／又はハードウェアを用いて実現されてもよい。第１のネットワークがLTEネットワークであり、第２のネットワークがCDMAネットワークであることが、本発明の実施例を詳細に説明するために、以下において例として使用される。
【００３７】
図１は、本発明による通信方法の実施例のフローチャートである。図１に示すように、実施例で提供される通信方法は、以下を具体的に含む。
【００３８】
ステップ101：基地局は、UEが他のネットワークでページング情報を監視する開始時間を取得する。
【００３９】
開始時間の前にUEが位置するネットワークのネットワーク種別は、他のネットワークのネットワーク種別と異なり、開始時間は、UEが他のネットワークでページング情報を監視し始める開始タイムスロットでもよい点に留意すべきである。
【００４０】
例えば、UEは、CDMAネットワークでページング情報を監視するために、基地局により提供されるLTEネットワークを周期的に離れてもよい。CDMAネットワークは、LTEネットワークを提供する基地局により提供されてもよく、他の基地局により提供されてもよい。具体的に、開始時間の前の第１の指定の持続時間にUEが位置するネットワークのネットワーク種別は、開始時間の後の第２の指定の持続時間にUEが位置するネットワークのネットワーク種別と異なる。第１の指定の持続時間及び第２の指定の持続時間は、基地局を使用することにより手動で設定されてもよい。例えば、UEがLTEネットワークに周期的にアクセスする持続時間は、第１の指定の持続時間であり、UEがCDMAネットワークに、すなわち、CDMAネットワークを監視するために周期的にアクセスする持続時間は、第２の指定の持続時間である。
【００４１】
本発明の実施例では、基地局は、少なくとも３つの実現方式で、UEが他のネットワークでページング情報を監視する開始時間を取得する。これらは以下を含んでもよい。
【００４２】
第１の実現方式：基地局は、UEのフレームオフセットを取得し、次に、基地局は、フレームオフセットに従って、UEが他のネットワークでページング情報を監視する開始時間を取得する。
【００４３】
第２の実現方式：特定の持続時間内及び／又は特定の予め設定された回数内に、基地局がUEにより送信された情報を受信していない場合、基地局は、UEが他のネットワークでページング情報を監視していると決定し、UEが他のネットワークでページング情報を監視している時間は、UEが今回に他のネットワークでページング情報を開始する開始時間として使用される。
【００４４】
第３の実現方式：基地局は、UEが最後に他のネットワークでページング情報を監視する時間、又はUEが最後に他のネットワークでページング情報を監視した後に戻った時間に従って、UEが今回に他のネットワークでページング情報を監視する開始時間を取得する。
【００４５】
具体的に、第１の実現方式では、基地局は、少なくとも３つの実現シナリオでUEのフレームオフセットを取得する。これらは以下を含む。
【００４６】
第１の実現シナリオ：基地局は、モビリティ・マネジメント・エンティティ（Mobility  Management  Entity、以下ではMMEと呼ばれる）からUEのフレームオフセットを取得する。例えば、UEが基地局とRRCコネクションを確立している場合、基地局は、MMEにより送信されたイニシャル・コンテキスト・アップデート要求メッセージを受信してもよく、ここで、イニシャル・コンテキスト・アップデート要求メッセージは、フレームオフセットを保持し、或いは、基地局は、フレームオフセット要求メッセージをMMEに送信し、フレームオフセット要求メッセージは、UEのフレームオフセットを要求するために使用され、次に、基地局が、MMEにより送信されたフレームオフセット応答メッセージを受信し、ここで、フレームオフセット応答メッセージは、フレームオフセットを保持する。フレームオフセットは、端末の国際移動体加入者識別番号（International  Mobile  Subscriber  Identification  Number、以下ではIMSIと呼ばれる）に従った計算を通じてMMEにより取得されてもよい点に留意すべきである。
【００４７】
第２の実現シナリオ：基地局は、CDMA-LTEインターワーキング機能エンティティ（Interworking  solution  function、以下ではIWSと呼ばれる）からUEのフレームオフセットを取得する。例えば、UEが基地局とRRCコネクションを確立している場合、基地局は、UEのフレームオフセットを要求する情報をIWSに送信し、次に、基地局は、IWSにより送信されたフレームオフセットを受信する。フレームオフセットは、IMSIに従った計算を通じてIWSにより取得されてもよい点に留意すべきである。
【００４８】
第３の実現シナリオ：基地局は、UEからUEのフレームオフセットを取得する。例えば、UEが基地局とRRCコネクションを確立している場合、基地局は、UEにより送信されたRRCコネクション・アップデート・メッセージを受信し、ここで、RRCコネクション・アップデート・メッセージは、UEのフレームオフセットパラメータを保持し、或いは、基地局は、UEにより送信されたページングフレームオフセット応答メッセージを受信し、ここで、ページングフレームオフセット応答メッセージは、基地局がページングフレームオフセット要求メッセージをUEに送信した後に基地局により受信され、ページングフレームオフセット応答メッセージは、UEのフレームオフセットを保持する。フレームオフセットは、IMSIに従った計算を通じてUEにより取得されてもよい点に留意すべきである。
【００４９】
対応して、前述の実現シナリオのいずれか１つで、基地局は、フレームオフセット及びページング周期に従って、UEが他のネットワークでページング情報を監視する開始時間を取得してもよい。
【００５０】
例えば、基地局は、QPCHチャネルが構成されているか否かに従って、UEがクイックページングチャネルにおいて他のネットワークでページング情報を監視するか否かを決定してもよい。構成されたQPCHチャネルについての情報は手動で或いは静的に基地局で構成されてもよい。QPCHチャネルが構成されていると基地局が決定した場合、UEがクイックページングチャネルにおいて他のネットワークでページング情報を監視すると決定され、式(2)が適用される。或いは、QPCHチャネルが構成されていないと基地局が決定した場合、UEがページングチャネルにおいて他のネットワークでページング情報を監視すると決定され、式(1)が適用される。これによって、UEが他のネットワークでページング情報を監視する開始時間は、式(1)又は式(2)に従って取得される。
式(1)：(T/4-フレームオフセット)mod(ページング周期)=0
ここで、Tは、UEが他のネットワークでページング情報を監視する開始時間、すなわち、UEが他のネットワークでページング情報を監視し始める時間であり、ページング周期は、端末のページング周期である。
式(2)：((T+5)/4-フレームオフセット)mod(ページング周期)=0
ここで、Tは、UEが他のネットワークでページング情報を監視する開始時間、すなわち、UEが他のネットワークでページング情報を監視し始める時間であり、ページング周期は、端末のページング周期である。
【００５１】
具体的に、第２の実現方式では、基地局は、以下の方式のうち少なくとも１つを使用することにより、UEが他のネットワークでページング情報を監視していると決定してもよい。これらは以下を含む。
【００５２】
方式１：第１の予め設定された持続時間内に、基地局は、UEにより送信されたチャネル状態情報（Channel  status  Indicator、以下ではCSIと呼ばれる）又はサウンディングリファレンス信号（Sounding  Reference  Signal、以下ではSRSと呼ばれる）を受信していない。
【００５３】
方式２：第２の予め設定された持続時間内又は第２の予め設定された回数内に、基地局は、物理上りリンク共有情報リソース（Physical  Uplink  Share  Channel、以下ではPUSCHと呼ばれる）においてUEにより送信されたデータを受信していない。
【００５４】
方式３：第３の予め設定された持続時間内又は第２の予め設定された回数内に、基地局は、UEにより送信された肯定応答又は否定応答（Negative  Acknowledgement、以下ではNACKと呼ばれる）の応答を受信していない。例えば、基地局がデータパケットをUEに送信したが、UEがデータパケットを復調するのに成功した後に、UEにより送信されたACK情報を受信しない、或いは、基地局がデータパケットをUEに送信したが、UEがデータパケットを復調するのに失敗した後に、UEにより送信されたNACK情報を受信しない。
【００５５】
対応して、基地局は、UEが他のネットワークでページング情報を監視する時間が前述の開始時間であると決定する。
【００５６】
具体的に、第３の実現方式では、基地局は、UEが最後に他のネットワークでページング情報を監視する時間、又はUEが最後に他のネットワークでページング情報を監視した後に戻った時間に従って、UEが他のネットワークでページング情報を監視する開始時間を取得してもよい。
【００５７】
例えば、基地局は、UEが最後に他のネットワークでページング情報を監視する時間及びページング周期に従って、UEが他のネットワークでページング情報を監視する開始時間を取得してもよい。すなわち、Tleave(n)=Tleave(n-1)+Pperiodが適用され、ここで、Tleave(n)は、UEが他のネットワークでページング情報を監視する開始時間である。
【００５８】
Pperiodはページング周期であり、これは、基地局で設定されてもよい点に留意すべきである。或いは、UEが他のネットワークでページング情報を監視する時間間隔は、第１又は第２の実現方式に従って決定され、すなわち、時間間隔はページング周期として使用される。
【００５９】
Tleave(n-1)は、UEが他のネットワークでページング情報を監視する時間であり、最後に基地局により決定される。基地局は、第１又は第２の実現方式に従って、UEが最後に他のネットワークでページング情報を監視する時間を決定してもよい。
【００６０】
任意選択で、基地局は、UEが最後に他のネットワークでページング情報を監視した後に戻った時間及びページング周期に従って、或いはTleave(n)=Tleave(n-1)+Pperiod-Psearchにより、UEが他のネットワークでページング情報を監視する開始時間を取得してもよい。ここで、Tleave(n)は、UEが他のネットワークでページング情報を監視する開始時間である。
【００６１】
Pperiodはページング周期であり、これは、基地局で設定されてもよい点に留意すべきである。或いは、UEが他のネットワークでページング情報を監視する時間間隔は、第１又は第２の実現方式に従って決定され、すなわち、時間間隔はページング周期として使用される。
【００６２】
Psearchは、UEが他のネットワーク、例えば、CDMAネットワークを検索するためにLTEにより提供されるネットワークを離れる時間であり、最後に他のネットワークでページング情報を監視する時間及びLTEネットワークに戻る時間に従って、UEがLTEにより提供されるネットワークを離れて他のネットワークを検索し始める時間を決定してもよい。
【００６３】
Tleave(n-1)は、UEが他のネットワークでページング情報を監視する時間である。基地局は、第１又は第２の実現方式に従って、UEが最後に他のネットワークでページング情報を監視する時間を決定してもよい。
【００６４】
ステップ102：基地局は、開始時間を起点として使用する第１の持続時間内にUEに対してデータをスケジューリングするのを停止する。
【００６５】
この実施例では、基地局は、以下の方式のうち少なくとも１つでUEに対してデータをスケジューリングするのを停止してもよい。これらは具体的に以下のものである。
【００６６】
第１の方式：基地局は、サービスゲートウェイ（SGW）がUEに送信するデータをキャッシュする。
【００６７】
第２の方式：基地局は、UEに対する上りリンクタイミングアドバンス測定を停止し、TA調整をUEに送信しない。
【００６８】
第３の方式：基地局は、ACK/NACKフィードバックをUEに送信するのを停止し、すなわち、基地局が前にUEにスケジューリングした上りリンクデータについて、基地局は、ACK/NACKフィードバックをUEに送信するのを停止する。
【００６９】
第４の方式：基地局は、UEにより送信されたACK/NACKを受信するのを停止し、すなわち、基地局がスケジューリングした下りリンクデータについて、基地局は、UEにより送信されたACK/NACKを受信するのを停止する。
【００７０】
更に、前述の実施例に基づいて、基地局がUEに対してデータをスケジューリングするのを停止する方式は、以下を更に含んでもよい。
【００７１】
第５の方式：基地局は、UEに対して上りリンクCSI検出、SRS検出、及びチャネル推定又は測定フィルタ処理を停止する。
【００７２】
第６の方式：基地局は、スケジューリング要求（Scheduling  Request、以下ではSRと呼ばれる）検出を実行しない。
【００７３】
本発明の実施例で提供される通信方法によれば、基地局は、ユーザ装置（UE）が他のネットワークでページング情報を監視する開始時間を取得し、ここで、開始時間の前にUEが位置するネットワークのネットワーク種別は、他のネットワークのネットワーク種別と異なり、次に、基地局は、開始時間を起点として使用する第１の持続時間内にUEに対してデータをスケジューリングするのを停止する。これによって、基地局とUEとの間の再送信が低減され、基地局により提供されるネットワークでの下りリンクリソースの浪費が更に低減される。
【００７４】
更に、前述の実施例に基づいて、基地局がUEに対してデータ処理をスケジューリングするのを停止するステップ101の後に、この方法は以下を更に含んでもよい。
【００７５】
基地局がUEにより送信されたACK又はNACKを受信している場合、基地局は、UEが基地局により提供されるネットワークに戻ったと決定する、或いは、
基地局がUEにより送信されたデータを受信している場合、基地局は、UEが基地局により提供されるネットワークに戻ったと決定し、ここで、データは、SR、CSI又はSRSのうち少なくとも１つを含む。
【００７６】
図２は、本発明による通信方法の他の実施例のフローチャートである。図２に示すように、実施例で提供される通信方法は、以下を具体的に含む。
【００７７】
ステップ201：基地局は、UEのフレームオフセットを取得する。
【００７８】
具体的に、基地局は、少なくとも３つの実現シナリオでUEのフレームオフセットを取得する。これらは以下を含む。
【００７９】
第１の実現シナリオ：基地局は、MMEからUEのフレームオフセットを取得する。例えば、UEが基地局とRRCコネクションを確立している場合、基地局は、MMEにより送信されたイニシャル・コンテキスト・アップデート要求メッセージを受信してもよく、ここで、イニシャル・コンテキスト・アップデート要求メッセージは、フレームオフセットを保持し、或いは、基地局は、フレームオフセット要求メッセージをMMEに送信し、フレームオフセット要求メッセージは、UEのフレームオフセットを要求するために使用され、次に、基地局が、MMEにより送信されたフレームオフセット応答メッセージを受信し、ここで、フレームオフセット応答メッセージは、フレームオフセットを保持する。
【００８０】
MMEが基地局に送信するフレームオフセットは、UEのIMSIに従った計算を通じてMMEにより取得されたフレームオフセットでもよい点に留意すべきである。
【００８１】
第２の実現シナリオ：基地局は、IWSからUEのフレームオフセットを取得する。例えば、UEが基地局とRRCコネクションを確立している場合、基地局は、MMEがエアインタフェース要求情報をIWSに送信するために、上りリンクトンネルメッセージをMMEに送信し、ここで、上りリンクトンネルメッセージは、UEのフレームオフセットを要求するために使用され、次に、IWSは、MMEが下りリンクトンネルメッセージを基地局に送信するために、エアインタフェース情報に対応する情報をMMEに送信し、ここで、下りリンクトンネルメッセージは、フレームオフセットパラメータを保持し、更に、下りリンクトンネルメッセージはまたページング周期を保持する。
【００８２】
IWSが基地局に送信するフレームオフセットは、UEのIMSIに従った計算を通じてIWSにより取得されたフレームオフセットでもよい点に留意すべきである。
【００８３】
第３の実現シナリオ：基地局は、UEからUEのフレームオフセットを取得する。例えば、UEが基地局とRRCコネクションを確立している場合、基地局は、UEにより送信されたRRCコネクション・アップデート・メッセージを受信し、ここで、RRCコネクション・アップデート・メッセージは、UEのフレームオフセットパラメータを保持し、或いは、基地局は、UEにより送信されたページングフレームオフセット応答メッセージを受信し、ここで、ページングフレームオフセット応答メッセージは、基地局がページングフレームオフセット要求メッセージをUEに送信した後に基地局により受信され、ページングフレームオフセット応答メッセージは、UEのフレームオフセットを保持する。
【００８４】
UEが基地局に送信するフレームオフセットは、UEのIMSIに従った計算を通じてUEにより取得されたフレームオフセットでもよい点に留意すべきである。
【００８５】
ステップ202：基地局は、UEが他のネットワークでページング情報を監視する開始時間を取得する。
【００８６】
本発明のこの実施例では、前述の実現シナリオのうちいずれか１つで、基地局は、フレームオフセット及びページング周期に従って、UEが他のネットワークでページング情報を監視する開始時間、又はUEが他のネットワークでページング情報を開始し始める時間を取得してもよい。ページング周期は、UE、MME又はIWSによって基地局により取得されてもよく、基地局に設定されてもよい。
【００８７】
更に、基地局は、QPCHチャネルが構成されているか否かに従って、UEがクイックページングチャネルにおいて他のネットワークでページング情報を監視するか否かを更に決定してもよい。構成されたQPCHチャネルについての情報は手動で或いは静的にeNBで構成されてもよい。QPCHチャネルが構成されていると基地局が決定した場合、基地局は、UEがクイックページングチャネルにおいて他のネットワークでページング情報を監視すると決定し、式(2)が適用される。或いは、QPCHチャネルが構成されていないと基地局が決定した場合、UEがページングチャネルにおいて他のネットワークでページング情報を監視すると決定され、式(1)が適用される。これによって、UEが他のネットワークでページング情報を監視する開始時間は、式(1)又は式(2)に従って取得される。
式(1)：(T/4-フレームオフセット)mod(ページング周期)=0
ここで、Tは、UEが他のネットワークでページング情報を監視する開始時間、すなわち、UEが他のネットワークでページング情報を監視し始める時間であり、ページング周期は、端末のページング周期である。
式(2)：((T+5)/4-フレームオフセット)mod(ページング周期)=0
ここで、Tは、UEが他のネットワークでページング情報を監視する開始時間、すなわち、UEが他のネットワークでページング情報を監視し始める時間であり、ページング周期は、端末のページング周期である。
【００８８】
ステップ203：基地局は、開始時間を起点として使用する第１の持続時間内にUEに対してデータをスケジューリングするのを停止する。
【００８９】
この実施例では、第１の持続時間は、当業者の予め設定された値であり、第１の持続時間の具体的な値はここでは限定されない。
【００９０】
具体的に、基地局は、以下の方式のうち少なくとも１つでUEに対してデータをスケジューリングするのを停止してもよい。これらは具体的に以下のものである。
【００９１】
第１の方式：基地局は、サービスゲートウェイ（SGW）がUEに送信するデータをキャッシュする。
【００９２】
第２の方式：基地局は、UEに対する上りリンクタイミングアドバンス測定を停止し、TA調整をUEに送信しない。
【００９３】
第３の方式：eNBが前にスケジューリングした上りリンクデータについて、基地局は、ACK/NACKフィードバックをUEに送信するのを停止する。
【００９４】
第４の方式：eNBがスケジューリングした下りリンクデータについて、基地局は、ACK/NACKを受信するのを停止する。
【００９５】
第５の方式：基地局は、UEに対して上りリンクCSI/SRS検出、チャネル推定、及び測定フィルタ処理を停止する。
【００９６】
第６の方式：基地局は、SR検出を停止する。
【００９７】
本発明の実施例で提供される通信方法によれば、基地局は、UEのフレームオフセットを取得し、次に、フレームオフセットに従って、UEが他のネットワークでページング情報を監視する開始時間を取得する。これによって、基地局とUEとの間の再送信が低減され、基地局により提供されるネットワークでの下りリンクリソースの浪費が更に低減される。
【００９８】
図３は、本発明による通信方法の更に他の実施例のフローチャートである。図３に示すように、実施例で提供される通信方法は、以下を具体的に含んでもよい。
【００９９】
ステップ301：基地局は、UEが他のネットワークでページング情報を監視する開始時間を取得する。
【０１００】
具体的に、基地局は、以下の方式のうち少なくとも１つで、UEが他のネットワークでページング情報を監視する開始時間を取得する。
【０１０１】
方式１：第１の予め設定された持続時間内に、基地局がUEにより送信されたチャネル状態情報（CSI）又はサウンディングリファレンス信号（SRS）を受信していない場合、第１の予め設定された持続時間の終了時間が、UEが他のネットワークでページング情報を監視する開始時間であると決定する。或いは、
方式２：第２の予め設定された持続時間内に、基地局が物理上りリンク共有チャネル（PUSCH）においてUEにより送信されたデータを受信していない場合、第２の予め設定された持続時間の終了時間が、UEが他のネットワークでページング情報を監視する開始時間であると決定される。
【０１０２】
第１の予め設定された回数内に、基地局が物理上りリンク共有チャネル（PUSCH）においてUEにより送信されたデータを受信していない場合、第１の予め設定された回数の最後の回数の時間が、UEが他のネットワークでページング情報を監視する開始時間であると決定される。
【０１０３】
例えば、基地局がUEにスケジューリングした上りリンクデータ、又は基地局がUEにアクティブに実行する上りリンクデータのスケジューリングが第２の予め設定された持続時間内又は第１の予め設定された回数にある場合、基地局は、PUSCHにおいてUEにより送信されたデータを受信していない。
【０１０４】
方式３：第３の予め設定された持続時間内に、基地局がUEにより送信されたACK又はNACKを受信していない場合、第３の予め設定された持続時間の終了時間が、UEが他のネットワークでページング情報を監視する開始時間であると決定される。或いは、
第２の予め設定された回数内に、基地局がUEにより送信されたACK又はNACKを受信していない場合、第２の予め設定された回数の最後の回数の時間が、UEが他のネットワークでページング情報を監視する開始時間であると決定される。
【０１０５】
例えば、基地局が下りリンクデータをUEにスケジューリングしている場合、又は基地局が下りリンクデータをUEにアクティブにスケジューリングする場合、これが第３の予め設定された持続時間内又は第２の予め設定された回数にある場合、基地局は、UEにより送信されたACK又はNACKを受信していない。
【０１０６】
基地局は、データパケットをUEに送信し、UEがデータパケットを復調するのに成功した後に、UEにより送信されたACK情報を受信してもよく、或いは、基地局は、データパケットをUEに送信し、UEがデータパケットを復調するのに失敗した後に、UEにより送信されたNACK情報を受信してもよい点に留意すべきである。基地局が下りリンクスケジューリングを実行した後の指定の時間にUEのACK/NACKフィードバックを受信していない場合、又は基地局が上りリンクスケジューリングを実行した後の指定の時間にUEの上りリンクデータを受信していない場合、この現象は、不連続送信（Discontinuous  Transmission、以下ではDTXと呼ばれる）現象である。この場合、基地局は、DTX現象の発生に従って、UEが他のネットワークでページング情報を監視している情報を決定してもよい。
【０１０７】
ステップ302：基地局は、開始時間を起点として使用する第１の持続時間内にUEに対してデータをスケジューリングするのを停止する。
【０１０８】
この実施例では、基地局は、以下の方式のうち少なくとも１つでUEに対してデータをスケジューリングするのを停止してもよい。これらは具体的に以下のものである。
【０１０９】
第１の方式：基地局は、サービスゲートウェイ（SGW）がUEに送信するデータをキャッシュする。
【０１１０】
第２の方式：基地局は、UEに対する上りリンクタイミングアドバンス測定を停止し、TA調整をUEに送信しない。
【０１１１】
第３の方式：基地局が前にUEにスケジューリングした上りリンクデータについて、基地局は、ACK/NACKフィードバックをUEに送信するのを停止する。
【０１１２】
第４の方式：基地局がスケジューリングした下りリンクデータについて、基地局は、UEにより送信されたACK/NACKを受信するのを停止する。
【０１１３】
更に、前述の実施例に基づいて、基地局がUEに対してデータをスケジューリングするのを停止する第１の持続時間の後に、基地局がUEにより送信されたACK又はNACKを受信した場合、基地局は、UEが基地局により提供されるネットワークに戻ったと決定する、或いは、基地局がUEにより送信されたデータを受信した場合、基地局は、UEが基地局により提供されるネットワークに戻ったと決定し、ここで、データは、SR、CSI又はSRSのうち少なくとも１つを含み、基地局は、UEに対してデータスケジューリングを実行する。
【０１１４】
本発明の実施例で提供される通信方法によれば、基地局は、第１の情報を取得し、ここで、第１の情報は、UEが他のネットワークでページング情報を監視しているという情報であり、次に、基地局は、第１の情報を取得した時間が、UEが他のネットワークでページング情報を監視する開始時間であると決定する。これによって、基地局とUEとの間の再送信が低減され、基地局により提供されるネットワークでの下りリンクリソースの浪費が更に低減される。
【０１１５】
前述の実施例に基づいて、UEが基地局により提供されるネットワークに戻ったと基地局が決定した後に、この方法は、基地局が、開始時間及びページング周期に従って、UEが次回に他のネットワークでページング情報を監視する時間を決定することを更に含んでもよい。
【０１１６】
例えば、基地局は、UEの開始時間及びページング周期に従って、すなわち、Tleave(n+1)=Tleave(n)+Pperiodを適用することにより、UEが次回に他のネットワークでページング情報を監視する時間を決定してもよい。ここで、Tleave(n+1)は、UEが次回に他のネットワークでページング情報を監視する時間である。
【０１１７】
Pperiodはページング周期であり、これは、基地局で設定されてもよい点に留意すべきである。或いは、UEが他のネットワークでページング情報を監視する時間間隔は、第１又は第２の実現方式に従って決定され、すなわち、時間間隔はページング周期として使用される。
【０１１８】
Tleave(n)は、UEが他のネットワークでページング情報を監視する開始時間であり、基地局により決定される。基地局は、前述の実施例のいずれか１つの実現方式に従って、UEが最後に他のネットワークでページング情報を監視する開始時間を決定してもよい。
【０１１９】
任意選択で、前述の実施例に基づいて、UEが基地局により提供されるネットワークに戻ったと基地局が決定した後に、この方法は、基地局が、UEが基地局により提供されるネットワークに戻った時間が復帰時間であると決定し、基地局が、復帰時間及びページング周期に従って、UEが次回に他のネットワークにより提供されるページング情報を監視する時間を決定することを更に含んでもよい。
【０１２０】
例えば、基地局は、復帰時間及びページング周期に従って、すなわち、Tleave(n+1)=Tleave(n)+Pperiod-Psearchを適用することにより、UEが次回に他のネットワークでページング情報を監視する時間を決定してもよい。ここで、Tleave(n+1)は、UEが次回に他のネットワークでページング情報を監視する時間である。
【０１２１】
Pperiodはページング周期であり、これは、基地局で設定されてもよい点に留意すべきである。或いは、UEが他のネットワークでページング情報を監視する時間間隔は、第１又は第２の実現方式に従って決定され、すなわち、時間間隔はページング周期として使用される。
【０１２２】
Psearchは、UEがLTEにより提供されるネットワークを離れて他のネットワークを検索し始める時間である。
【０１２３】
Tleave(n)は、UEが他のネットワークでページング情報を監視する開始時間であり、基地局により決定される。基地局は、前述の実施例のいずれか１つの実現方式に従って、UEが最後に他のネットワークでページング情報を監視する開始時間を決定してもよい。
【０１２４】
図４は、本発明による通信装置の実施例の概略構成図である。図４に示すように、通信装置は、取得モジュール401と、処理モジュール402とを含む。
【０１２５】
取得モジュール401は、ユーザ装置（UE）が他のネットワークでページング情報を監視する開始時間を獲得するように構成される。開始時間の前にUEが位置するネットワークのネットワーク種別は、他のネットワークのネットワーク種別と異なる。
【０１２６】
処理モジュール402は、開始時間を起点として使用する第１の持続時間内にUEに対してデータをスケジューリングするのを停止するように構成される。
【０１２７】
本発明の実施例で提供される通信装置によれば、基地局は、ユーザ装置（UE）が他のネットワークでページング情報を監視する開始時間を取得し、ここで、開始時間の前にUEが位置するネットワークのネットワーク種別は、他のネットワークのネットワーク種別と異なり、次に、基地局は、開始時間を起点として使用する第１の持続時間内にUEに対してデータをスケジューリングするのを停止する。これによって、基地局とUEとの間の再送信が低減され、基地局により提供されるネットワークでの下りリンクリソースの浪費が更に低減される。
【０１２８】
前述の実施例に基づいて、取得モジュール401は、UEのフレームオフセットを取得するように具体的に構成され、処理モジュール402は、フレームオフセットに従って、UEが他のネットワークでページング情報を監視する開始時間を獲得するように更に構成される。
【０１２９】
任意選択で、前述の実施例に基づいて、取得モジュール401及び取得モジュールは、第１の予め設定された持続時間内に、基地局がUEにより送信されたチャネル状態情報（CSI）又はサウンディングリファレンス信号（SRS）を受信していない場合、第１の予め設定された持続時間の終了時間が、UEが他のネットワークでページング情報を監視する開始時間であると決定されることを決定するように具体的に構成され、或いは、第２の予め設定された持続時間内に、基地局が物理上りリンク共有チャネル（PUSCH）においてUEにより送信されたデータを受信していない場合、第２の予め設定された持続時間の終了時間が、UEが他のネットワークでページング情報を監視する開始時間であると決定されることを決定するように具体的に構成され、或いは、第１の予め設定された回数内に、基地局が物理上りリンク共有チャネル（PUSCH）においてUEにより送信されたデータを受信していない場合、第１の予め設定された回数の最後の回数の時間が、UEが他のネットワークでページング情報を監視する開始時間であると決定されることを決定するように具体的に構成され、或いは、第３の予め設定された持続時間内に、基地局がUEにより送信されたACK又はNACKを受信していない場合、第３の予め設定された持続時間の終了時間が、UEが他のネットワークでページング情報を監視する開始時間であると決定されることを決定するように具体的に構成され、或いは、第２の予め設定された回数内に、基地局がUEにより送信されたACK又はNACKを受信していない場合、第２の予め設定された回数の最後の回数の時間が、UEが他のネットワークでページング情報を監視する開始時間であると決定されることを決定するように具体的に構成される。
【０１３０】
処理モジュール402は、第１の情報を取得した時間が、UEが他のネットワークでページング情報を監視する開始時間であると決定するように更に構成される。
【０１３１】
更に、前述の実施例に基づいて、取得モジュール401は、モビリティ・マネジメント・エンティティ（MME）により送信されたイニシャル・コンテキスト・アップデート要求メッセージを受信するように具体的に構成され、イニシャル・コンテキスト・アップデート要求メッセージは、フレームオフセットを保持する。
【０１３２】
図５は、本発明による通信装置の他の実施例の概略構成図である。前述の実施例に基づいて、図５に示す通信装置は、送信モジュール403を更に含んでもよい。
【０１３３】
送信モジュール403は、フレームオフセット要求メッセージをモビリティ・マネジメント・エンティティ（MME）に送信するように構成され、フレームオフセット要求メッセージは、UEのフレームオフセットを要求するように構成される。取得モジュール401は、MMEにより送信されたフレームオフセット応答メッセージを受信するように具体的に構成され、フレームオフセット応答メッセージは、フレームオフセットを保持する。
【０１３４】
任意選択で、前述の実施例に基づいて、この装置は、送信モジュールを更に含んでもよい。送信モジュール403は、UEのフレームオフセットを要求する情報をCDMA-LTEインターワーキング機能エンティティ（IWS）に送信するように構成される。取得モジュール401は、IWSにより送信されたフレームオフセットを受信するように具体的に構成される。
【０１３５】
任意選択で、前述の実施例に基づいて、取得モジュール401は、UEにより送信された無線リソース制御プロトコル（RRC）コネクション・アップデート・メッセージを受信するように具体的に構成され、RRCコネクション・アップデート・メッセージは、UEのフレームオフセットパラメータを保持し、或いは、UEにより送信されたページングフレームオフセット応答メッセージを受信するように具体的に構成され、ページングフレームオフセット応答メッセージは、基地局がページングオフセット要求メッセージをUEに送信した後に基地局により受信され、ページングフレームオフセット応答メッセージは、UEのフレームオフセットを保持する。
【０１３６】
更に、前述の実施例に基づいて、処理モジュール402は、サービスゲートウェイ（SGW）がUEに送信するデータをキャッシュするように具体的に構成され、或いは、UEに対する上りリンクタイミングアドバンス測定を停止し、TA調整をUEに送信しないように具体的に構成され、或いは、ACK/NACKフィードバックをUEに送信するのを停止するように具体的に構成され、或いは、UEにより送信されたACK/NACKを受信するのを停止するように具体的に構成される。
【０１３７】
前述の実施例に基づいて、処理モジュール402は、UEに対して上りリンクチャネル状態情報（CSI）検出、サウンディングリファレンス信号（SRS）検出、又はチャネル推定若しくは測定フィルタ処理を停止するように更に構成され、或いは基地局によるスケジューリング要求（SR）検出を停止するように更に構成される。
【０１３８】
更に、前述の実施例に基づいて、処理モジュールは、UEが基地局により提供されるネットワークに戻ったと基地局が決定するために、UEにより送信されたACK又はNACKを受信するように構成され、或いは、UEにより送信されたデータを受信するように構成され、この場合、基地局は、UEが基地局により提供されるネットワークに戻ったと決定し、データは、SR、CSI又はSRSのうち少なくとも１つを含む。
【０１３９】
前述の実施例に基づいて、処理モジュール402は、開始時間及びページング周期に従って、UEが次回に他のネットワークでページング情報を監視する時間を決定するように更に構成される。
【０１４０】
前述の実施例に基づいて、処理モジュール402は、UEが基地局により提供されるネットワークに戻った時間が復帰時間であると決定し、復帰時間及びページング周期に従って、UEが次回に他のネットワークにより提供されるページング情報を監視する時間を決定するように更に構成される。
【０１４１】
図６は、本発明による基地局の実施例の概略構成図である。図６に示すように、基地局は、送信機601と、受信機602と、メモリ603と、受信機602及びメモリ603にそれぞれ接続されたプロセッサ604とを含み、メモリ603は、プログラムコードのグループを記憶し、プロセッサ604は、前述の方法の実施例を実行するために、メモリに記憶されたプログラムコードを呼び出すように構成される。
【０１４２】
基地局の実施例は、基地局とUEとの間の再送信を低減し、これによって、基地局により提供されるネットワークでの下りリンクリソースの浪費を更に低減する。
【０１４３】
本発明の実施例は、図４又は図５に示す前述の通信装置のいずれか１つを含む基地局を提供する。
【０１４４】
基地局の実施例は、基地局とUEとの間の再送信を低減し、これによって、基地局により提供されるネットワークでの下りリンクリソースの浪費を更に低減する。
【０１４５】
当業者は、方法の実施例のステップの全部又は一部が、関係するハードウェアに命令するプログラムにより実現されてもよいことを認識し得る。プログラムは、コンピュータ読み取り可能記憶媒体に記憶されてもよい。プログラムが実行する場合、方法の実施例のステップが実行される。前述の記憶媒体は、ROM、RAM、磁気ディスク又は光ディスクのようなプログラムコードを記憶することができるいずれかの媒体を含む。
【０１４６】
最後に、前述の実施例は、単に本発明の技術的対策を説明することを意図するものであり、本発明を限定することを意図するものではない点に留意すべきである。前述の実施例を参照して本発明について詳細に説明したが、当業者は、依然として、本発明の実施例の技術的対策の範囲を逸脱することなく、前述の実施例で説明した技術的対策に変更を行ってもよく、或いは、その一部又は全部の技術的特徴に等価置換を行ってもよいことを認識すべきである。
【図１】
2016528853.tif 000003
【図２】
2016528853.tif 000004
【図３】
2016528853.tif 000005
【図４】
2016528853.tif 000006
【図５】
2016528853.tif 000007
【図６】
2016528853.tif 000008
【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
基地局により、ユーザ装置（UE）が他のネットワークでページング情報を監視する開始時間を取得するステップであり、前記開始時間の前に前記UEが位置するネットワークのネットワーク種別は、前記他のネットワークのネットワーク種別と異なるステップと、
前記基地局により、前記開始時間を起点として使用する第１の持続時間内に前記UEに対してデータをスケジューリングするのを停止するステップと
を有する通信方法。
【請求項２】
前記基地局により、前記UEのフレームオフセットを取得するステップと、
前記基地局により、前記フレームオフセットに従って、前記UEが前記他のネットワークで前記ページング情報を監視する前記開始時間を取得するステップと
を有する、請求項１に記載の方法。
【請求項３】
基地局により、ユーザ装置（UE）が他のネットワークでページング情報を監視する開始時間を取得するステップは、以下の方式、すなわち、
第１の予め設定された持続時間内に、前記基地局が前記UEにより送信されたチャネル状態情報（CSI）又はサウンディングリファレンス信号（SRS）を受信していない場合、前記第１の予め設定された持続時間の終了時間が、前記UEが前記他のネットワークで前記ページング情報を監視する前記開始時間であると決定するステップ、又は、
第２の予め設定された持続時間内に、前記基地局が物理上りリンク共有チャネル（PUSCH）において前記UEにより送信されたデータを受信していない場合、前記第２の予め設定された持続時間の終了時間が、前記UEが前記他のネットワークで前記ページング情報を監視する前記開始時間であると決定するステップ、又は、
第１の予め設定された回数内に、前記基地局がPUSCHにおいて前記UEにより送信されたデータを受信していない場合、前記第１の予め設定された回数の最後の回数の時間が、前記UEが前記他のネットワークで前記ページング情報を監視する前記開始時間であると決定するステップ、又は、
第３の予め設定された持続時間内に、前記基地局が前記UEにより送信された肯定応答（ACK）又は否定応答（NACK）を受信していない場合、前記第３の予め設定された持続時間の終了時間が、前記UEが前記他のネットワークで前記ページング情報を監視する前記開始時間であると決定するステップ、又は、
第２の予め設定された回数内に、前記基地局が前記UEにより送信されたACK又はNACKを受信していない場合、前記第２の予め設定された回数の最後の回数の時間が、前記UEが前記他のネットワークで前記ページング情報を監視する前記開始時間であると決定するステップ
のうち少なくとも１つを有する、請求項１に記載の方法。
【請求項４】
前記基地局により、前記UEのフレームオフセットを取得するステップは、
前記基地局により、モビリティ・マネジメント・エンティティ（MME）により送信されたイニシャル・コンテキスト・アップデート要求メッセージを受信するステップであり、前記イニシャル・コンテキスト・アップデート要求メッセージは、前記フレームオフセットを保持するステップ
を有する、請求項２に記載の方法。
【請求項５】
前記基地局により、前記UEのフレームオフセットを取得するステップは、
前記基地局により、フレームオフセット要求メッセージをMMEに送信するステップであり、前記フレームオフセット要求メッセージは、前記UEの前記フレームオフセットを要求するために使用されるステップと、
前記基地局により、前記MMEにより送信されたフレームオフセット応答メッセージを受信するステップであり、前記フレームオフセット応答メッセージは、前記フレームオフセットを保持するステップと
を有する、請求項２に記載の方法。
【請求項６】
前記基地局により、前記UEのフレームオフセットを取得するステップは、
前記基地局により、前記UEの前記フレームオフセットを要求する情報をCDMA-LTEインターワーキングソリューション（IWS）機能エンティティに送信するステップと、
前記基地局により、前記IWSにより送信されたフレームオフセットを受信するステップと
を有する、請求項２に記載の方法。
【請求項７】
前記基地局により、前記UEのフレームオフセットを取得するステップは、
前記基地局により、前記UEにより送信された無線リソース制御プロトコル（RRC）コネクション・アップデート・メッセージを受信するステップであり、前記RRCコネクション・アップデート・メッセージは、前記UEのフレームオフセットパラメータを保持するステップ、又は、
前記基地局により、前記UEにより送信されたページングフレームオフセット応答メッセージを受信するステップであり、前記ページングフレームオフセット応答メッセージは、前記基地局がページングオフセット要求メッセージを前記UEに送信した後に前記基地局により受信され、前記ページングフレームオフセット応答メッセージは、前記UEの前記フレームオフセットを保持するステップ
を有する、請求項２に記載の方法。
【請求項８】
前記基地局により、前記UEに対してデータをスケジューリングするのを停止するステップは、
前記基地局により、サービスゲートウェイ（SGW）がUEに送信するデータをキャッシュするステップと、
前記基地局により、前記UEに対する上りリンクタイミングアドバンス測定を停止し、TA調整を前記UEに送信するのをスキップするステップと、
前記基地局により、ACK/NACKフィードバックを前記UEに送信するのを停止するステップと、
前記基地局により、前記UEにより送信されたACK/NACKを受信するのを停止するステップと
のうち１つを有する、請求項１ないし７のうちいずれか１項に記載の方法。
【請求項９】
前記基地局により、前記UEに対してデータをスケジューリングするのを停止するステップは、
前記基地局により、前記UEに対して上りリンクチャネル状態情報（CSI）検出、サウンディングリファレンス信号（SRS）検出、及びチャネル推定又は測定フィルタ処理を停止するステップと、
前記基地局により、スケジューリング要求（SR）検出を停止するステップと
を更に有する、請求項８に記載の方法。
【請求項１０】
前記基地局により、前記UEに対してデータをスケジューリングするのを停止した後に、
前記基地局が前記UEにより送信されたACK又はNACKを受信している場合、前記基地局により、前記UEが前記基地局により提供されるネットワークに戻ったと決定するステップ、又は、
前記基地局が前記UEにより送信されたデータを受信している場合、前記基地局により、前記UEが前記基地局により提供されるネットワークに戻ったと決定するステップであり、前記データは、SR、CSI又はSRSのうち少なくとも１つを有するステップ
を更に有する、請求項１ないし９のうちいずれか１項に記載の方法。
【請求項１１】
前記基地局により、前記UEが前記基地局により提供されるネットワークに戻ったと決定した後に、
前記基地局により、前記開始時間及びページング周期に従って、前記UEが次回に前記他のネットワークで前記ページング情報を監視する時間を決定するステップ
を更に有する、請求項１０に記載の方法。
【請求項１２】
前記基地局により、前記UEが前記基地局により提供されるネットワークに戻ったと決定した後に、
前記基地局により、前記UEが前記基地局により提供される前記ネットワークに戻った時間が復帰時間であると決定するステップと、
前記基地局により、前記復帰時間及び前記ページング周期に従って、前記UEが次回に前記他のネットワークにより提供されるページング情報を監視する時間を決定するステップと
を更に有する、請求項１０に記載の方法。
【請求項１３】
ユーザ装置（UE）が他のネットワークでページング情報を監視する開始時間を取得するように構成された受信機であり、前記開始時間の前に前記UEが位置するネットワークのネットワーク種別は、前記他のネットワークのネットワーク種別と異なる受信機と、
前記開始時間を起点として使用する第１の持続時間内に前記UEに対してデータをスケジューリングするのを停止するように構成されたプロセッサと
を有する通信装置。
【請求項１４】
前記受信機は、前記UEのフレームオフセットを取得するように構成され、
前記プロセッサは、前記フレームオフセットに従って、前記UEが前記他のネットワークで前記ページング情報を監視する前記開始時間を獲得するように更に構成される、請求項１３に記載の装置。
【請求項１５】
前記プロセッサは、
第１の予め設定された持続時間内に、前記受信機が前記UEにより送信されたチャネル状態情報（CSI）又はサウンディングリファレンス信号（SRS）を受信していない場合、前記第１の予め設定された持続時間の終了時間が、前記UEが前記他のネットワークで前記ページング情報を監視する前記開始時間であると決定するように構成され、或いは、
第２の予め設定された持続時間内に、前記受信機が物理上りリンク共有チャネル（PUSCH）において前記UEにより送信されたデータを受信していない場合、前記第２の予め設定された持続時間の終了時間が、前記UEが前記他のネットワークで前記ページング情報を監視する前記開始時間であると決定するように構成され、或いは、
第１の予め設定された回数内に、前記受信機がPUSCHにおいて前記UEにより送信されたデータを受信していない場合、前記第１の予め設定された回数の最後の回数の時間が、前記UEが前記他のネットワークで前記ページング情報を監視する前記開始時間であると決定するように構成され、或いは、
第３の予め設定された持続時間内に、前記受信機が前記UEにより送信された肯定応答（ACK）又は否定応答（NACK）を受信していない場合、前記第３の予め設定された持続時間の終了時間が、前記UEが前記他のネットワークで前記ページング情報を監視する前記開始時間であると決定するように構成され、或いは、
第２の予め設定された回数内に、前記受信機が前記UEにより送信されたACK又はNACKを受信していない場合、前記第２の予め設定された回数の最後の回数の時間が、前記UEが前記他のネットワークで前記ページング情報を監視する前記開始時間であると決定するように構成される、請求項１３に記載の装置。
【請求項１６】
前記受信機は、モビリティ・マネジメント・エンティティ（MME）により送信されたイニシャル・コンテキスト・アップデート要求メッセージを受信するように構成され、前記イニシャル・コンテキスト・アップデート要求メッセージは、前記フレームオフセットを保持する、請求項１４に記載の装置。
【請求項１７】
送信機を更に有し、
前記送信機は、フレームオフセット要求メッセージをMMEに送信するように構成され、前記フレームオフセット要求メッセージは、前記UEの前記フレームオフセットを要求するように構成され、
前記受信機は、前記MMEにより送信されたフレームオフセット応答メッセージを受信するように構成され、前記フレームオフセット応答メッセージは、前記フレームオフセットを保持する、請求項１４に記載の装置。
【請求項１８】
送信機を更に有し、
前記送信機は、前記UEの前記フレームオフセットを要求する情報をCDMA-LTEインターワーキングソリューション（IWS）機能エンティティに送信するように構成され、
前記受信機は、前記IWSにより送信された前記フレームオフセットを受信するように構成される、請求項１４に記載の装置。
【請求項１９】
前記受信機は、前記UEにより送信された無線リソース制御プロトコル（RRC）コネクション・アップデート・メッセージを受信するように構成され、前記RRCコネクション・アップデート・メッセージは、前記UEのフレームオフセットパラメータを保持し、或いは、前記UEにより送信されたページングフレームオフセット応答メッセージを受信するように構成され、前記ページングフレームオフセット応答メッセージは、前記送信機がページングオフセット要求メッセージを前記UEに送信した後に前記受信機により受信され、前記ページングフレームオフセット応答メッセージは、前記UEの前記フレームオフセットを保持する、請求項１４に記載の装置。
【請求項２０】
前記プロセッサは、サービスゲートウェイ（SGW）が前記UEに送信するデータをキャッシュするように構成され、或いは、前記UEに対する上りリンクタイミングアドバンス測定を停止し、TA調整を前記UEに送信するのをスキップするように構成され、或いは、ACK/NACKフィードバックを前記UEに送信するのを停止するように構成され、或いは、前記UEにより送信されたACK/NACKを受信するのを停止するように構成される、請求項１３ないし１９のうちいずれか１項に記載の装置。
【請求項２１】
前記プロセッサは、前記UEに対してCSI検出、SRS検出、又はチャネル推定若しくは測定フィルタ処理を停止するように構成され、或いは、前記装置によるスケジューリング要求（SR）検出を停止するように構成される、請求項２０に記載の装置。
【請求項２２】
前記受信機は、前記UEにより送信されたACK又はNACKを受信するように構成され、この場合、前記プロセッサは、前記UEが前記装置により提供されるネットワークに戻ったと決定し、或いは、前記UEにより送信されたデータを受信するように構成され、この場合、前記プロセッサは、前記UEが前記装置により提供されるネットワークに戻ったと決定し、前記データは、SR、CSI又はSRSのうち少なくとも１つを有する、請求項１３ないし２１のうちいずれか１項に記載の装置。
【請求項２３】
前記プロセッサは、前記開始時間及びページング周期に従って、前記UEが次回に前記他のネットワークで前記ページング情報を監視する時間を決定するように構成される、請求項２２に記載の装置。
【請求項２４】
前記プロセッサは、前記UEが前記装置により提供される前記ネットワークに戻った時間が復帰時間であると決定し、前記復帰時間及びページング周期に従って、前記UEが次回に前記他のネットワークにより提供される前記ページング情報を監視する時間を決定するように更に構成される、請求項２２に記載の装置。
【請求項２５】
送信機と、
受信機と、
メモリと、
前記送信機、前記受信機及び前記メモリにそれぞれ接続されたプロセッサと
を有する基地局であって、
前記メモリは、プログラムコードのグループを記憶し、
前記プロセッサは、請求項１ないし１２のうちいずれか１項に記載の方法を実行するために、前記メモリに記憶された前記プログラムコードを呼び出すように構成される基地局。
【請求項２６】
請求項１３ないし２４のうちいずれか１項に記載の装置を有する基地局。
【手続補正２】
【補正対象書類名】明細書
【補正対象項目名】０００３
【補正方法】変更
【補正の内容】
【０００３】
従来技術では、シングルラジオ技術に基づく多方式端末、すなわち、同時に１つのネットワークとデータ受信及び送信を実行可能な端末は、LTEネットワークとRRCコネクションを確立し、すなわち、RRCアクティベート状態でデータを受信又は送信し、多方式端末は、ページングメッセージを受信するために周期的にCDMAネットワークに切り替えられ得る。LTEネットワークがアイドル状態にある場合、多方式端末は、ページングメッセージを監視するために、固定のLTEページング周期でLTEページングメッセージを監視するだけでなく、固定のCDMA  1xページング周期で受信機をCDMA  1xネットワークに切り替える。
【手続補正３】
【補正対象書類名】明細書
【補正対象項目名】００２２
【補正方法】変更
【補正の内容】
【００２２】
第２の態様の第１の可能な実現方式を参照して、第２の態様の第４の可能な実現方式では、この装置は、送信モジュールを更に含み、送信モジュールは、フレームオフセット要求メッセージをモビリティ・マネジメント・エンティティ（MME）に送信するように構成され、フレームオフセット要求メッセージは、UEのフレームオフセットを要求するように構成され、取得モジュールは、MMEにより送信されたフレームオフセット応答メッセージを受信するように具体的に構成され、フレームオフセット応答メッセージは、フレームオフセットを保持する。
【手続補正４】
【補正対象書類名】明細書
【補正対象項目名】００２４
【補正方法】変更
【補正の内容】
【００２４】
第２の態様の第１の可能な実現方式を参照して、第２の態様の第６の可能な実現方式では、取得モジュールは、UEにより送信された無線リソース制御プロトコル（RRC）コネクション・アップデート・メッセージを受信するように具体的に構成され、RRCコネクション・アップデート・メッセージは、UEのフレームオフセットパラメータを保持し、或いは、UEにより送信されたページングフレームオフセット応答メッセージを受信するように具体的に構成され、ページングフレームオフセット応答メッセージは、基地局がページングオフセット要求メッセージをUEに送信した後に基地局により受信され、ページングフレームオフセット応答メッセージは、UEのフレームオフセットを保持する。
【手続補正５】
【補正対象書類名】明細書
【補正対象項目名】００３３
【補正方法】変更
【補正の内容】
【００３３】
本発明の実施例の技術的対策を更に明確に説明するために、以下に、実施例を説明するために必要な添付図面について簡単に紹介する。明らかに、以下の説明において、添付図面は、本発明のいくつかの実施例を示しており、当業者は、創造的取り組みを行うことなく、依然としてこれらの添付図面から他の図面を導き得る。
【手続補正６】
【補正対象書類名】明細書
【補正対象項目名】００３５
【補正方法】変更
【補正の内容】
【００３５】
本発明の実施例の目的、技術的対策及び利点を明確にするために、以下に、本発明の実施例の添付図面を参照して、本発明の実施例の技術的対策を明確に説明する。明らかに、説明する実施例は、本発明の実施例の全てではなく、一部である。創造的取り組みを行うことなく本発明の実施例に基づいて当業者により得られる全ての他の実施例は、本発明の保護範囲内に入るものとする。
【手続補正７】
【補正対象書類名】明細書
【補正対象項目名】００３６
【補正方法】変更
【補正の内容】
【００３６】
本発明の実施例で提供される通信方法及び通信装置は、通信システムにおいてユーザ装置（UE）が第１のネットワークと無線リソース制御（RRC）プロトコルのコネクションを確立しており、RRCアクティベート状態にある場合、すなわち、UEが第１のネットワークとデータ伝送を実行する場合、UEが第２のネットワークでページング情報を監視するために第１のネットワークを離れたとき、UEに対するデータスケジューリング処理が停止されるという処理に具体的に適用されてもよい。第１のネットワーク及び第２のネットワークは種別で異なる。例えば、第１のネットワークは、LTEネットワークであり、第２のネットワークは、CDMAネットワークである。本発明の実施例で提供される通信方法は、通信装置により具体的に実行されてもよく、通信装置は、基地局に統合されてもよく、ソフトウェア及び／又はハードウェアを用いて実現されてもよい。第１のネットワークがLTEネットワークであり、第２のネットワークがCDMAネットワークであることが、本発明の実施例を詳細に説明するために、以下において例として使用される。
【手続補正８】
【補正対象書類名】明細書
【補正対象項目名】００４６
【補正方法】変更
【補正の内容】
【００４６】
第１の実現シナリオ：基地局は、モビリティ・マネジメント・エンティティ（MME）からUEのフレームオフセットを取得する。例えば、UEが基地局とRRCコネクションを確立している場合、基地局は、MMEにより送信されたイニシャル・コンテキスト・アップデート要求メッセージを受信してもよく、ここで、イニシャル・コンテキスト・アップデート要求メッセージは、フレームオフセットを保持し、或いは、基地局は、フレームオフセット要求メッセージをMMEに送信し、フレームオフセット要求メッセージは、UEのフレームオフセットを要求するために使用され、次に、基地局が、MMEにより送信されたフレームオフセット応答メッセージを受信し、ここで、フレームオフセット応答メッセージは、フレームオフセットを保持する。フレームオフセットは、端末の国際移動体加入者識別番号（IMSI）に従った計算を通じてMMEにより取得されてもよい点に留意すべきである。
【手続補正９】
【補正対象書類名】明細書
【補正対象項目名】００４７
【補正方法】変更
【補正の内容】
【００４７】
第２の実現シナリオ：基地局は、CDMA-LTEインターワーキングソリューション（IWS）機能エンティティからUEのフレームオフセットを取得する。例えば、UEが基地局とRRCコネクションを確立している場合、基地局は、UEのフレームオフセットを要求する情報をIWSに送信し、次に、基地局は、IWSにより送信されたフレームオフセットを受信する。フレームオフセットは、IMSIに従った計算を通じてIWSにより取得されてもよい点に留意すべきである。
【手続補正１０】
【補正対象書類名】明細書
【補正対象項目名】００５０
【補正方法】変更
【補正の内容】
【００５０】
例えば、基地局は、クイックページングチャネル（QPCH）が構成されているか否かに従って、UEがクイックページングチャネルにおいて他のネットワークでページング情報を監視するか否かを決定してもよい。構成されたQPCHチャネルについての情報は手動で或いは静的に基地局で構成されてもよい。QPCHチャネルが構成されていると基地局が決定した場合、UEがクイックページングチャネルにおいて他のネットワークでページング情報を監視すると決定され、式(2)が適用される。或いは、QPCHチャネルが構成されていないと基地局が決定した場合、UEがページングチャネルにおいて他のネットワークでページング情報を監視すると決定され、式(1)が適用される。これによって、UEが他のネットワークでページング情報を監視する開始時間は、式(1)又は式(2)に従って取得される。
式(1)：(T/4-フレームオフセット)mod(ページング周期)=0
ここで、Tは、UEが他のネットワークでページング情報を監視する開始時間、すなわち、UEが他のネットワークでページング情報を監視し始める時間であり、ページング周期は、端末のページング周期である。
式(2)：((T+5)/4-フレームオフセット)mod(ページング周期)=0
ここで、Tは、UEが他のネットワークでページング情報を監視する開始時間、すなわち、UEが他のネットワークでページング情報を監視し始める時間であり、ページング周期は、端末のページング周期である。
【手続補正１１】
【補正対象書類名】明細書
【補正対象項目名】００５２
【補正方法】変更
【補正の内容】
【００５２】
方式１：第１の予め設定された持続時間内に、基地局は、UEにより送信されたチャネル状態情報（CSI）又はサウンディングリファレンス信号（SRS）を受信していない。
【手続補正１２】
【補正対象書類名】明細書
【補正対象項目名】００５３
【補正方法】変更
【補正の内容】
【００５３】
方式２：第２の予め設定された持続時間内又は第２の予め設定された回数内に、基地局は、物理上りリンク共有情報リソース（PUSCH）においてUEにより送信されたデータを受信していない。
【手続補正１３】
【補正対象書類名】明細書
【補正対象項目名】００５４
【補正方法】変更
【補正の内容】
【００５４】
方式３：第３の予め設定された持続時間内又は第２の予め設定された回数内に、基地局は、UEにより送信された肯定応答又は否定応答（NACK）の応答を受信していない。例えば、基地局がデータパケットをUEに送信したが、UEがデータパケットを復調するのに成功した後に、UEにより送信されたACK情報を受信しない、或いは、基地局がデータパケットをUEに送信したが、UEがデータパケットを復調するのに失敗した後に、UEにより送信されたNACK情報を受信しない。
【手続補正１４】
【補正対象書類名】明細書
【補正対象項目名】０１２９
【補正方法】変更
【補正の内容】
【０１２９】
任意選択で、前述の実施例に基づいて、取得モジュール401は、第１の予め設定された持続時間内に、基地局がUEにより送信されたチャネル状態情報（CSI）又はサウンディングリファレンス信号（SRS）を受信していない場合、第１の予め設定された持続時間の終了時間が、UEが他のネットワークでページング情報を監視する開始時間であると決定されることを決定するように具体的に構成され、或いは、第２の予め設定された持続時間内に、基地局が物理上りリンク共有チャネル（PUSCH）においてUEにより送信されたデータを受信していない場合、第２の予め設定された持続時間の終了時間が、UEが他のネットワークでページング情報を監視する開始時間であると決定されることを決定するように具体的に構成され、或いは、第１の予め設定された回数内に、基地局が物理上りリンク共有チャネル（PUSCH）においてUEにより送信されたデータを受信していない場合、第１の予め設定された回数の最後の回数の時間が、UEが他のネットワークでページング情報を監視する開始時間であると決定されることを決定するように具体的に構成され、或いは、第３の予め設定された持続時間内に、基地局がUEにより送信されたACK又はNACKを受信していない場合、第３の予め設定された持続時間の終了時間が、UEが他のネットワークでページング情報を監視する開始時間であると決定されることを決定するように具体的に構成され、或いは、第２の予め設定された回数内に、基地局がUEにより送信されたACK又はNACKを受信していない場合、第２の予め設定された回数の最後の回数の時間が、UEが他のネットワークでページング情報を監視する開始時間であると決定されることを決定するように具体的に構成される。
【手続補正１５】
【補正対象書類名】明細書
【補正対象項目名】０１４４
【補正方法】削除
【補正の内容】
【手続補正１６】
【補正対象書類名】図面
【補正対象項目名】図４
【補正方法】変更
【補正の内容】
【図４】
2016528853.tif 000009
【手続補正１７】
【補正対象書類名】図面
【補正対象項目名】図５
【補正方法】変更
【補正の内容】
【図５】
2016528853.tif 000010
【国際調査報告】
2016528853.tif 000011
2016528853.tif 000012
2016528853.tif 000013
2016528853.tif 000014